(57)【要約】      （修正有）【課題】引き出しを双方向に引っ張り出して使用する双方向引き出し用スライドレールを提供する。【解決手段】第１スライドレール１１、第２スライドレール１２、第３スライドレール１４、２つのストッパ差込部材１６及び２つの位置規制部材１７を備える。第１スライドレール１１は、少なくとも一面に設けられた第１スライド溝１１１を有する。第２スライドレール１２は、少なくとも一面に設けられた第２スライド溝１２１を有する。第２スライド溝１２１の一面に第１スライド溝１１１が嵌合され、両端に嵌合セクション１２２がそれぞれ設けられる。第３スライドレール１４は、少なくとも一面に設けられた第３スライド溝１４１を有し、第３スライド溝１４１と第２スライドレール１２の第２スライド溝１２１とが嵌合されて収容空間が形成され、第３スライド溝１４１の両端に開放端部１４１１が設けられる。【選択図】図１
0003177386.tif 000002
【実用新案登録請求の範囲】
【請求項１】
第１スライドレール、第２スライドレール、第３スライドレール、２つのストッパ差込部材及び２つの位置規制部材を備えた双方向引き出し用スライドレールであって、
前記第１スライドレールは、少なくとも一面に設けられた第１スライド溝を有し、
前記第２スライドレールは、少なくとも一面に設けられた第２スライド溝を有し、前記第２スライド溝の一面に前記第１スライド溝が嵌合され、両端に嵌合セクションがそれぞれ設けられ、
前記第３スライドレールは、少なくとも一面に設けられた第３スライド溝を有し、前記第３スライド溝と前記第２スライドレールの前記第２スライド溝とが嵌合されて収容空間が形成され、前記第３スライド溝の両端に開放端部が設けられ、
前記ストッパ差込部材は、少なくとも一面に設けられた嵌合バンプを有し、互いに対向するように配置されることにより、前記第２スライド溝の左右両端側に嵌合され、側部にストッパ及び第１ストッパリブが設けられ、前記ストッパの他側に滑り部及び第２ストッパリブが設けられ、
前記位置規制部材は、螺合部から斜めに延伸し、弾力性を有する第１位置規制杆及び第２位置規制杆を含むとともに、互いに対向するように反対向きに配置され、前記第３スライドレールの前記第３スライド溝の左右端面へ螺着され、前記第１位置規制杆及び前記第２位置規制杆の中段部の頂点が、前記第３スライド溝の上下端面へ弾力的に押圧されることを特徴とする双方向引き出し用スライドレール。
【請求項２】
前記ストッパの内端面には、垂直辺が形成され、
前記垂直辺の頂端縁には、第１斜辺及び第２斜辺が外側へ向けて延設されることを特徴とする請求項１に記載の双方向引き出し用スライドレール。
【請求項３】
前記位置規制部材の前記第１位置規制杆は、中段部に形成された垂直セクションにより、押圧セクションが下側に延伸し、
前記第２位置規制杆の頂点には、傾斜セクションが延設されていることを特徴とする請求項１に記載の双方向引き出し用スライドレール。
【請求項４】
前記第１スライドレールと前記第２スライドレールとの間には、前記第１スライドレールと前記第２スライドレールとの間に発生する摩擦を低減させる複数の第１ボールが設けられていることを特徴とする請求項１に記載の双方向引き出し用スライドレール。
【請求項５】
前記収容空間内には、第２ボールが配置され、
前記第２ボールは、断面形状が下向きのコ字状であり、上ボール列及び下ボール列を有し、前記第２スライドレールと前記第３スライドレールとの間を離間させ、前記ストッパ差込部材の前記第１ストッパリブ及び前記第２ストッパリブの内端面に凹設された位置規制凹溝に、前記上ボール列及び前記下ボール列が摺動して側端が嵌合され、係止されることを特徴とする請求項１に記載の双方向引き出し用スライドレール。
【請求項６】
前記第１スライドレールの両端には、第１ストッパバンプがそれぞれ設けられ、
前記第２スライドレールの両端には、第２ストッパバンプがそれぞれ設けられ、
前記第２ストッパバンプは、前記第１スライドレールの前記第１ストッパバンプに対応して配置され、
前記第１ボールは、矩形プレート状を呈し、前記第１ストッパバンプと前記第２ストッパバンプとの間で摺動するとともに位置規制されることを特徴とする請求項４に記載の双方向引き出し用スライドレール。
【請求項７】
請求項１〜６の何れか１項の双方向引き出し用スライドレールの引き出しセットであって、
引き出し槽及び引き出し本体を備え、
前記引き出し槽は、両端に開口が設けられ、両側内壁面の中央部に位置決め凹部がそれぞれ設けられ、前記位置決め凹部の頂面中央部には、対称的に円弧状の凹部が設けられ、第１スライドレールの第１スライド溝の一面が、前記引き出し槽の両側内壁面に対応して取り付けられ、
前記引き出し本体は、前記引き出し槽内に双方向で可動可能に収容され、両側に第３スライドレール及び位置決め突起部がそれぞれ取り付けられ、前記位置決め突起部のそれぞれは、前記位置決め凹部と対応するように設けられていることを特徴とする双方向引き出し用スライドレールの引き出しセット。
【請求項８】
前記引き出し本体は、対称的に牽引面が両端に設けられ、前記引き出し本体を双方向で引き出す際に使用するハンドルをそれぞれを有することを特徴とする請求項７に記載の双方向引き出し用スライドレールの引き出しセット。
【請求項９】
前記位置決め突起部は、円柱状であり、前記第３スライドレールの底面中央部に取り付けられ、
前記位置決め凹部は、前記第１スライドレールの底面に対応して設けられることを特徴とする請求項７に記載の双方向引き出し用スライドレールの引き出しセット。
【考案の詳細な説明】
【技術分野】
【０００１】
本考案は、スライドレールに関するものであり、さらに詳しくは、双方向へ引っ張り出して使用することができる双方向引き出し用スライドレール及びその引き出しセットに関するものである。
【背景技術】
【０００２】
従来技術のスライドレール構造又はその連動装置は、様々な分野、例えば、引き出し、工具用キャビネットなどの分野で複数の部材を相対的に連動させるために広く利用されている。
【０００３】
一般に、引き出しのスライドレール構造には、引き出し内の様々な位置に複数のスライドレール装置が設けられているため、引き出しを両方向で開けることができず、一方向にしか開けることができない。そのため、ユーザが引っ張り出すことができない側にいる場合、反対側へ回り込まなければ引き出しを引っ張り出すことができない。また、他方の側にいるユーザは、反対方向へ引き出しを引っ張り出すことができない。
【０００４】
要するに、従来技術においては、引き出しを備えた大型キャビネット、ツールボックスなどは、ユーザがキャビネットの両側にいる場合、ユーザは双方向で引き出しを引っ張ることができない。また、双方向のスライドレールの構造を備えていないので、双方向で迅速に引き出しを引っ張り出して所望のハンドツール又は厨房用ツールを取り出すことができないため、厨房又は仕事場での仕事の効率が悪く、ユーザにとって非常に不便であるという問題がある。
【０００５】
従来、特表２００６−５２６４７９号公報に記載されている引き出し用のスライド調節機構が提案されていたが、双方向への引き出し機構については開示されていない。
【特許文献１】特表２００６−５２６４７９号公報
【考案の概要】
【考案が解決しようとする課題】
【０００６】
本考案の主な課題は、引き出しを双方向で引き出すことができ、ユーザは、必ずしも特定の側にいなくとも、双方向へ引き出しを引き出すことができる双方向引き出し用スライドレール及びその引き出しセットを提供することにある。
【０００７】
本考案のもう一つの課題は、大型キャビネット又は工具キャビネットの置物を隔離させる作用を有すると共に、両側のユーザが双方向へ引き出しを引っ張り出し、引き出し内の物品を交代で取り出すこともできる双方向引き出し用スライドレール及びその引き出しセットを提供することにある。
【課題を解決するための手段】
【０００８】
前記課題を解決するために、本考案によれば、第１スライドレール、第２スライドレール、第３スライドレール、２つのストッパ差込部材及び２つの位置規制部材を備えた双方向引き出し用スライドレールであって、
前記第１スライドレールは、少なくとも一面に設けられた第１スライド溝を有し、
前記第２スライドレールは、少なくとも一面に設けられた第２スライド溝を有し、前記第２スライド溝の一面に前記第１スライド溝が嵌合され、両端に嵌合セクションがそれぞれ設けられ、
前記第３スライドレールは、少なくとも一面に設けられた第３スライド溝を有し、  前記第３スライド溝と前記第２スライドレールの前記第２スライド溝とが嵌合されて収容空間が形成され、前記第３スライド溝の両端に開放端部が設けられ、
前記ストッパ差込部材は、少なくとも一面に設けられた嵌合バンプを有し、互いに対向するように配置されることにより、前記第２スライド溝の左右両端側に嵌合され、側部にストッパ及び第１ストッパリブが設けられ、前記ストッパの他側に滑り部及び第２ストッパリブが設けられ、
前記位置規制部材は、螺合部から斜めに延伸し、弾力性を有する第１位置規制杆及び第２位置規制杆を含むとともに、互いに対向するように反対向きに配置され、前記第３スライドレールの前記第３スライド溝の左右端面へ螺着され、前記第１位置規制杆及び前記第２位置規制杆の中段部の頂点が、前記第３スライド溝の上下端面へ弾力的に押圧されることを特徴とする双方向引き出し用スライドレール
が提供される。
【０００９】
前記ストッパの内端面には、垂直辺が形成され、前記垂直辺の頂端縁には、第１斜辺及び第２斜辺が外側へ向けて延設されることが好ましい。
【００１０】
前記位置規制部材の前記第１位置規制杆は、中段部に形成された垂直セクションにより、押圧セクションが下側に延伸され、前記第２位置規制杆の頂点には、傾斜セクションが延設されていることが好ましい。
【００１１】
前記第１スライドレールと前記第２スライドレールとの間には、前記第１スライドレールと前記第２スライドレールとの間に発生する摩擦を低減させる複数の第１ボールが設けられていることが好ましい。
【００１２】
前記収容空間内には、第２ボールが配置され、前記第２ボールは、断面形状が下向きのコ字状であり、上ボール列及び下ボール列を有し、前記第２スライドレールと前記第３スライドレールとの間を離間させ、前記ストッパ差込部材の前記第１ストッパリブ及び前記第２ストッパリブの内端面に凹設された位置規制凹溝に、前記上ボール列及び前記下ボール列が摺動して側端が嵌合され、係止されることが好ましい。
【００１３】
前記第１スライドレールの両端には、第１ストッパバンプがそれぞれ設けられ、前記第２スライドレールの両端には、第２ストッパバンプがそれぞれ設けられ、前記第２ストッパバンプは、前記第１スライドレールの前記第１ストッパバンプに対応して配置され、前記第１ボールは、矩形プレート状を呈し、前記第１ストッパバンプと前記第２ストッパバンプとの間で摺動するとともに位置規制されることが好ましい。
【００１４】
また、前記課題を解決するために、本考案によれば、請求項１〜６の何れか１項の双方向引き出し用スライドレールの引き出しセットであって、引き出し槽及び引き出し本体を備え、前記引き出し槽は、両端に開口が設けられ、両側内壁面の中央部に位置決め凹部がそれぞれ設けられ、前記位置決め凹部の頂面中央部には、対称的に円弧状の凹部が設けられ、第１スライドレールの第１スライド溝の一面が、前記引き出し槽の両側内壁面に対応して取り付けられ、前記引き出し本体は、前記引き出し槽内に双方向で可動可能に収容され、両側に第３スライドレール及び位置決め突起部がそれぞれ取り付けられ、前記位置決め突起部のそれぞれは、前記位置決め凹部と対応するように設けられていることを特徴とする双方向引き出し用スライドレールの引き出しセット
が提供される。
【００１５】
前記引き出し本体は、対称的に牽引面が両端に設けられ、前記引き出し本体を双方向で引き出す際に使用するハンドルをそれぞれを有することが好ましい。
【考案の効果】
【００１６】
本考案によれば、前記の通りの構成からなり、簡素な構造であるにも拘らず、双方向への円滑な移動可能な引き出し及び引き出しセットを提供することができる。
【００１７】
前記位置決め突起部は、円柱状であり、前記第３スライドレールの底面中央部に取り付けられ、前記位置決め凹部は、前記第１スライドレールの底面に対応して設けられることが好ましい。
【図面の簡単な説明】
【００１８】
【図１】本考案の一実施形態に係る双方向引き出し用スライドレールを示す分解斜視図である。
【図２】本考案の一実施形態に係る双方向引き出し用スライドレールを示す部分拡大図である。
【図３】図１の組み立て構造を示す断面図である。
【図４】本考案の一実施形態に係る双方向引き出し用スライドレール及びその引き出しセットを示す斜視図である。
【図５】本考案の一実施形態に係る双方向引き出し用スライドレール及びその引き出しセットの引き出し本体が閉じた状態を示す断面図（１）である。
【図６】本考案の一実施形態に係る双方向引き出し用スライドレール及びその引き出しセットの引き出し本体を右方向へ引き出したときの状態を示す断面図（２）である。
【図７】本考案の一実施形態に係る双方向引き出し用スライドレール及びその引き出しセットの引き出し本体を右方向へ引き出したときの状態を示す図６の部分拡大図である。
【図８】本考案の一実施形態に係る双方向引き出し用スライドレール及びその引き出しセットの引き出し本体を右方向へ完全に引き出したときの状態を示す図６の部分拡大図である。
【図９】本考案の一実施形態に係る双方向引き出し用スライドレール及びその引き出しセットの引き出し本体を左方向へ引き出したときの状態を示す断面図（３）である。
【図１０】本考案の一実施形態に係る双方向引き出し用スライドレール及びその引き出しセットの引き出し本体を左方向へ完全に引き出したときの状態を示す図９の部分拡大図である。
【考案を実施するための最良の形態】
【００１９】
以下、本考案の実施形態について図面に基づいて説明する。なお、これによって本考案が限定されるものではない。
【００２０】
図１〜図４を参照する。図１〜図４に示すように、本考案の一実施形態に係る双方向引き出し用スライドレール及びその引き出しセットは、複数の双方向引き出し用スライドレール１と、引き出しセット２とから構成される。
【００２１】
双方向引き出し用スライドレール１は、引き出しの両側に取り付けられ、少なくとも一面に第１スライド溝１１１と複数の締結孔１１２とが設けられた第１スライドレール１１を含む。第１スライドレール１１の両端には、第１ストッパバンプ１１３が設けられている。
【００２２】
第２スライドレール１２は、少なくとも一面に設けられた第２スライド溝１２１を有する。第２スライド溝１２１の一面には、第１スライド溝１１１が嵌合される。第２スライド溝１２１の両端には、嵌合凹口１２２１を有する嵌合セクション１２２と、第２ストッパバンプ１２３と、が設けられている。第２ストッパバンプ１２３は、第１スライドレール１１の第１ストッパバンプ１１３に対応した箇所に設けられている。第１ボール１３は、矩形プレート状を呈して第１スライドレール１１と第２スライドレール１２との間にそれぞれ設けられ、第１スライドレール１１と第２スライドレール１２との間に発生する摩擦を低減させるために用いる。
【００２３】
第３スライドレール１４は、少なくとも一面に設けられた第３スライド溝１４１を有し、第３スライド溝１４１と、第２スライドレール１２の第２スライド溝１２１とが嵌合されて収容空間（図示せず）が形成される。第３スライド溝１４１の両端には、開放端部１４１１が形成される。第２ボール１５は、断面形状が下向きのコ字状であり、第２スライドレール１２及び第３スライドレール１４の収容空間内に配置される。上ボール列１５１及び下ボール列１５２は、第２スライドレール１２と第３スライドレール１４とを離間させる。複数のストッパ差込部材１６は、その本体の少なくとも一面が延伸されて嵌合バンプ１６１に嵌合され、嵌合凹口１２２１により第２スライド溝１２１の端側に嵌合される。ストッパ差込部材１６は、両側にストッパ１６２、滑り部１６３及びストッパリブ１６４，１６５がそれぞれ設けられている。ストッパ１６２の内端面には、垂直辺１６２３が設けられている。垂直辺１６２３の頂端縁には、斜辺１６２１，１６２２が延設されている。第１ストッパリブ１６４には、位置規制凹溝１６４１が設けられ、第２ストッパリブ１６５には、上ボール列１５１及び下ボール列１５２の側部に嵌合させて位置を拘束する位置規制凹溝１６５１が設けられている。２つのストッパ差込部材１６は、互いに反対方向に第２スライド溝１２１の左右の両端側に嵌合させる。２つの位置規制部材１７は、第３スライド溝１４１の端面上に互いに対向するように取り付けられ、螺合部１７１から斜めに延伸されるとともに、弾力性を有する第１位置規制杆１７２及び第２位置規制杆１７３を含む。締結部材を螺合部１７１に貫設させた後、第３スライドレール１４の締結孔１４２へ螺着させる。２つの位置規制部材１７は、互いに対向するように反対向きに配置され、第３スライドレール１４の第３スライド溝１４１の左右端面の適宜な箇所へ螺着され、位置規制部材１７の位置規制杆１７２，１７３の中段部の頂点が第３スライド溝１４１の上下端面に弾力的に押圧され、第１位置規制杆１７２の中段部は、垂直セクション１７４により押圧セクション１７５が接続される。垂直セクション１７４は、ストッパ差込部材１６の垂直辺１６２３を横方向の位置を拘束し（図８参照）、ユーザは、押圧セクション１７５を押して第３スライドレール１４から取り出し、第２位置規制杆１７３の中段の頂点から傾斜セクション１７６が延伸され、傾斜セクション１７６と、ストッパ差込部材１６の第２斜辺１６２２との間で柔軟的な引き込み動作が行われ（図７参照）、第２位置規制杆１７３は、ストッパ差込部材１６の第１斜辺１６２１間で柔軟的な引き込み動作が行われ、スライドレール間での往復運動がスムーズに行われる。
【００２４】
引き出しセット２は、引き出し槽２１を含む。引き出し槽２１の両端には、開口２１１，２１２が設けられている。引き出し槽２１の少なくとも一側の内壁面の中央部の適宜な箇所には、位置決め凹部２１３が取り付けられている。この位置決め凹部２１３の頂面中央部には、対称的に円弧状の凹部２１４が設けられ、２つの第１スライドレール１１は、引き出し槽２１の両側の内壁面に対向して取り付けられ、締結部材を締結孔１１２に螺着させ、第１スライドレール１１を引き出し槽２１の内壁面に螺設する。位置決め凹部２１３は、第１スライドレール１１の底面の適宜な位置に対応して設けられる。引き出し本体２２は、引き出し槽２１内に可動可能に収容され、充填空間２２１を有する。引き出し本体２２の両外側には、締結部材を用いて第３スライドレール１４が固設され、引き出し本体２２の両端の牽引面２２２には、引き出し本体２２を双方向で引っ張るのに都合がよいようにハンドル２２３が設けられている。引き出し本体２２の少なくとも一側の第３スライドレール１４の底面中央部には、円柱状の位置決め突起部２２４が設けられ、位置決め凹部２１３に対応するように配置され、引き出し本体２２が中央部まで押し込まれると、位置決め突起部２２４が摺動されて位置決め凹部２１３の中央凹部２１４で固定されるため（図５参照）、引き出し本体２２が不用意に摺動されないように安定的に固定させることができる。
【００２５】
図６〜図８を参照する。図６〜図８に示すように、本考案の一実施形態に係る双方向引き出し用スライドレール及びその引き出しセットは、引き出し本体２２が右方向に引っ張られたときの状態を示し、右側のユーザが引き出し本体２２を開いて物品を取り出す際、右側のハンドル２２３により引き出し本体２２を引っ張り出すと、位置決め凹部２１３の中央凹部２１４から位置決め突起部２２４が外れて摺動し、引き出し本体２２の側壁の第３スライドレール１４に固設され、第２スライドレール１２の右側に向かって摺動され、右側の位置規制部材１７の第１位置規制杆１７２及び第２位置規制杆１７３は、右側のストッパ差込部材１６の滑り部１６３及び斜辺１６２１，１６２２により案内され（図７参照）、スムーズかつ弾力的に引き込まれて摺動しながら通過する。右側へ引っ張り、左側の第１位置規制杆１７２の垂直セクション１７４を右側のストッパ差込部材１６の垂直辺１６２３へ当接させると（図８参照）、引き出しのスライドレールが右方向へ完全に開いた状態となり、引き出し本体２２が引き出し槽２１の最大可動範囲まで引き出されるため、ユーザが引き出し本体２２から物品を取り出したり、引き出し本体２２内へ物品を置いたりするのに便利である。本考案は、上述の構成により、引き出し本体２２を押し戻すと、引き出し本体２２の両側の位置決め突起部２２４が位置決め凹部２１３の中央凹部２１４の位置まで摺動されて係止され、引き出し本体２２を閉めたときに安定的に固定させることができる。
【００２６】
上述と同様の原理により、左側にいるユーザが引き出し本体２２を左方向へ開く場合、図９及び図１０に示すように、その基本作動は上述の実施態様の作動機構と略同じであり、引き出し本体が左側へ完全に引き出された状態から引き出し本体２２を反対方向へ引き出す際、左側へ引き出す過程で左側に位置する位置規制部材１７が弾力的に引き込まれて摺動し、左側に位置するストッパ差込部材１６を通過し、右側に位置する位置規制部材１７が順次摺動されて左側のストッパ差込部材１６に当接されると（図１０参照）、引き出し本体が左側へ引っ張られて完全に開いた状態となり、反対側にいるユーザは、引き出し本体２２から物品を取り出したり引き出し本体２２内へ物品を置いたりすることができる。
【００２７】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１  双方向引き出し用スライドレール
２  引き出しセット
１１  第１スライドレール
１２  第２スライドレール
１３  第１ボール
１４  第３スライドレール
１５  第２ボール
１６  ストッパ差込部材
１７  位置規制部材
２１  引き出し槽
２２  引き出し本体
１１１  第１スライド溝
１１２  締結孔
１１３  第１ストッパバンプ
１２１  第２スライド溝
１２２  嵌合セクション
１２３  第２ストッパバンプ
１４１  第３スライド溝
１４２  締結孔
１５１  上ボール列
１５２  下ボール列
１６１  嵌合バンプ
１６２  ストッパ
１６３  滑り部
１６４  第１ストッパリブ
１６５  第２ストッパリブ
１７１  螺合部
１７２  第１位置規制杆
１７３  第２位置規制杆
１７４  垂直セクション
１７５  押圧セクション
１７６  傾斜セクション
２１１  開口
２１２  開口
２１３  位置決め凹部
２１４  凹部
２２１  充填空間
２２２  牽引面
２２３  ハンドル
２２４  位置決め突起部
１２２１  嵌合凹口
１４１１  開放端部
１６２１  第１斜辺
１６２２  第２斜辺
１６２３  垂直辺
１６４１  位置規制凹溝
１６５１  位置規制凹溝
【図１】
0003177386.tif 000003
【図２】
0003177386.tif 000004
【図３】
0003177386.tif 000005
【図４】
0003177386.tif 000006
【図５】
0003177386.tif 000007
【図６】
0003177386.tif 000008
【図７】
0003177386.tif 000009
【図８】
0003177386.tif 000010
【図９】
0003177386.tif 000011
【図１０】
0003177386.tif 000012